(57)【特許請求の範囲】
【請求項１】
エネルギー貯蓄装置にグリーンエネルギーを充填するエネルギー充填部と、
前記エネルギー貯蓄装置により測定されたグリーンエネルギーの充填量を示す測定量情報を当該エネルギー貯蓄装置から取得する測定量情報取得部と、
前記エネルギー充填部により充填されたグリーンエネルギーの充填量と、前記測定量情報に示されたグリーンエネルギーの充填量とが一致した場合に、前記エネルギー貯蓄装置に充填されたグリーンエネルギーの量を証明するための証明書を発行する証明書発行部と、
前記証明書を管理する管理システムに対し、前記証明書発行部により発行された証明書を提供する証明書提供部と、を備え、
前記証明書は、前記管理システムによって前記エネルギー貯蓄装置の識別情報と対応付けて管理され、当該証明書により証明される量のグリーンエネルギーが、前記識別情報にて示される前記エネルギー貯蓄装置から出力された場合に破棄される、
エネルギー充填装置。
【請求項２】
前記測定量情報取得部は、前記測定量情報と共に電子署名を取得し、当該電子署名を用いて前記測定量情報の正当性を確認し、
前記証明書発行部は、前記測定量情報の正当性が確認され、かつ、前記エネルギー充填部により充填されたグリーンエネルギーの充填量と、前記測定量情報に示されたグリーンエネルギーの充填量とが一致した場合に、前記エネルギー貯蓄装置に充填されたグリーンエネルギーの量を証明するための証明書を発行する、
請求項１に記載のエネルギー充填装置。
【請求項３】
エネルギーを入力するためのエネルギー入力部と、
エネルギーを出力するためのエネルギー出力部と、
エネルギーを貯蓄するエネルギー貯蓄部と、
前記エネルギー入力部を介して入力されたグリーンエネルギーの量、および前記エネルギー出力部を介してエネルギー消費装置へ出力されたグリーンエネルギーの量を測定し、それぞれのグリーンエネルギーの量を示す測定量情報を生成する測定量情報生成部と、
前記グリーンエネルギーが入力された場合、前記グリーンエネルギーを入力したエネルギー充填装置に前記測定量情報を提供し、入力されたグリーンエネルギーの量を証明するための証明書の発行を要求し、前記グリーンエネルギーが出力された場合、前記グリーンエネルギーを出力したエネルギー消費装置に前記測定量情報を提供し、前記エネルギー貯蓄部に残存するグリーンエネルギーの量を証明するための証明書の発行を要求する証明書要求部と、
前記エネルギー充填装置および前記エネルギー消費装置からそれぞれ前記証明書を取得する証明書取得部と、
前記証明書を保持する証明書保持部と、
前記証明書により証明される量のグリーンエネルギーを出力した場合に当該証明書を破棄する証明書破棄部と、
を備える、
エネルギー貯蓄装置。
【請求項４】
エネルギー貯蓄装置からグリーンエネルギーの供給を受けた場合に、当該エネルギー貯蓄装置から供給を受けたグリーンエネルギーの量を測定する測定部と、
前記エネルギー貯蓄装置に対応付けて管理され、当該エネルギー貯蓄装置に貯蓄されたグリーンエネルギーの量を証明するための証明書を取得する証明書取得部と、
前記エネルギー貯蓄装置から供給を受けたグリーンエネルギーの量Ｘが前記証明書により証明されるグリーンエネルギーの量Ｙよりも少ない場合に、両者の差分（Ｙ−Ｘ）に対応するグリーンエネルギーの量を証明するための証明書を発行する証明書発行部と、
を備え、
前記証明書取得部により取得された証明書は破棄され、前記証明書発行部により発行された証明書は前記エネルギー貯蓄装置に対応付けて管理される、
エネルギー消費装置。
【請求項５】
前記証明書取得部は、証明書を管理する管理システムから前記証明書を取得し、
前記エネルギー消費装置は、前記証明書発行部により発行された証明書を前記管理システムに提供する証明書提供部をさらに備える、
請求項４に記載のエネルギー消費装置。
【請求項６】
前記証明書取得部は、前記エネルギー貯蓄装置から前記証明書を取得し、
前記エネルギー消費装置は、前記証明書発行部により発行された証明書を前記エネルギー貯蓄装置に提供する証明書提供部をさらに備える、
請求項４に記載のエネルギー消費装置。
【請求項７】
グリーンエネルギーの供給を受けて動作している場合に利用可能な第１の機能と、エネルギーの種類に依らずに利用可能な第２の機能とを提供する機能提供部をさらに備える、
請求項５または６に記載のエネルギー消費装置。
【請求項８】
グリーンエネルギーの消費量に応じて付加的なサービスを提供するサービス提供システムに対し、前記エネルギー貯蓄装置から供給を受けたグリーンエネルギーの量を通知するグリーンエネルギー量通知部をさらに備え、
前記グリーンエネルギー量通知部は、自装置を識別するための装置情報と、前記グリーンエネルギーの量とを対応付けて前記サービス提供システムに通知する、
請求項５または６に記載のエネルギー消費装置。
【請求項９】
前記サービス提供システムは、ユーザと前記装置情報とを対応付けたユーザ情報を取得し、前記グリーンエネルギー量通知部により通知された装置情報に対応するユーザに対し、前記付加的なサービスを提供する、
請求項８に記載のエネルギー消費装置。
【請求項１０】
前記サービス提供システムから各ユーザに関するグリーンエネルギーの利用状況を取得し、取得したグリーンエネルギーの利用状況を示す情報を表示する状況表示部をさらに備える、
請求項９に記載のエネルギー消費装置。
【請求項１１】
前記サービス提供システムは、利用したグリーンエネルギーの量が多い順にユーザをランキングし、
前記状況表示部は、前記グリーンエネルギーの利用状況を示す情報として前記ランキングの結果を表示する、
請求項１０に記載のエネルギー消費装置。
【請求項１２】
エネルギー充填装置が、
エネルギー貯蓄装置にグリーンエネルギーを充填するステップと、
前記エネルギー貯蓄装置により測定されたグリーンエネルギーの充填量を示す測定量情報を当該エネルギー貯蓄装置から取得するステップと、
前記エネルギー貯蓄装置に充填したグリーンエネルギーの充填量と、前記測定量情報に示されたグリーンエネルギーの充填量とが一致した場合に、前記エネルギー貯蓄装置に充填したグリーンエネルギーの量を証明するための証明書を発行するステップと、
前記証明書を管理する管理システムに対し、発行された証明書を提供するステップと、
を含み、
前記証明書は、前記管理システムによって前記エネルギー貯蓄装置の識別情報と対応付けて管理され、当該証明書により証明される量のグリーンエネルギーが前記識別情報にて示される前記エネルギー貯蓄装置から出力された場合に破棄される、
グリーンエネルギーの管理方法。
【請求項１３】
エネルギー貯蓄装置が、
入力されたグリーンエネルギーの量を測定し、当該グリーンエネルギーの量を示す測定量情報を生成するステップと、
前記グリーンエネルギーを入力したエネルギー充填装置に前記測定量情報を提供し、入力されたグリーンエネルギーの量を証明するための証明書の発行を要求するステップと、
前記エネルギー充填装置から要求した証明書を取得するステップと、
取得した証明書を保持するステップと、
保持する証明書により証明されるグリーンエネルギーを出力した場合に当該証明書を破棄するステップと、
出力されたグリーンエネルギーの量を測定し、当該グリーンエネルギーの量を示す測定量情報を生成するステップと、
前記グリーンエネルギーを出力したエネルギー消費装置に前記測定量情報を提供し、前記エネルギー貯蓄装置に残存するグリーンエネルギーの量を証明するための証明書の発行を要求するステップと、
前記エネルギー消費装置から要求した証明書を取得するステップと、
取得した証明書を保持するステップと、
保持する証明書により証明される量のグリーンエネルギーを出力した場合に当該証明書を破棄するステップと、
を含む、
グリーンエネルギーの管理方法。
【請求項１４】
エネルギー消費装置が、
エネルギー貯蓄装置からグリーンエネルギーの供給を受けた場合に、当該エネルギー貯蓄装置から供給を受けたグリーンエネルギーの量を測定するステップと、
前記エネルギー貯蓄装置に対応付けて管理され、当該エネルギー貯蓄装置に貯蓄されたグリーンエネルギーの量を証明するための証明書を取得するステップと、
前記エネルギー貯蓄装置から供給を受けたグリーンエネルギーの量Ｘが前記証明書により証明されるグリーンエネルギーの量Ｙよりも少ない場合に、両者の差分（Ｙ−Ｘ）に対応するグリーンエネルギーの量を証明するための証明書を発行するステップと、
を含み、
取得された証明書は破棄され、発行された証明書は前記エネルギー貯蓄装置に対応付けて管理される、
グリーンエネルギーの管理方法。
【発明の詳細な説明】
【技術分野】
【０００１】
本技術は、エネルギー充填装置、エネルギー貯蓄装置、エネルギー消費装置、及びグリーンエネルギーの管理方法に関する。
【背景技術】
【０００２】
地球環境の保護に対する意識の高まりや化石燃料の枯渇に対する危機感からグリーンエネルギーに対する人々の関心が高まってきている。グリーンエネルギーのエネルギー源は、例えば、水力、地熱、太陽光、太陽熱、潮汐、風力、バイオマスなどである。そのため、グリーンエネルギーは、ほとんど温室効果ガスを発生させずに生成することができる。こうしたグリーンエネルギーに対する人々の関心の高まりを受け、グリーンエネルギーに対して付加的な価値を認めようとする動きが出てきている。例えば、再生可能エネルギーを利用して生成された電力（以下、グリーン電力）の環境価値を証明するグリーン電力証書というものが存在する。また、下記の特許文献１には、個人又は小口電力需要者が参加できるグリーン電力市場を構築するための仕組みが開示されている。
【先行技術文献】
【特許文献】
【０００３】
【特許文献１】特開２００３−１０８６５５号公報
【発明の概要】
【発明が解決しようとする課題】
【０００４】
しかし、グリーン電力証書は、太陽光発電設備や風力発電設備などを利用して発電したグリーン電力の量を証明するものである。そのため、太陽光発電設備や風力発電設備などに直接接続された機器で電力を消費しない限り、機器で消費している電力が実際にグリーン電力であるか否かを判別することは難しい。また、バッテリに貯蓄された電力がグリーン電力であるか否かを判別することは難しい。ここでは電力を例に挙げたが、エネルギーの形態に依らず、エネルギー貯蓄装置に貯蓄されたエネルギーがグリーンエネルギーであることを確かめることや、機器で消費しているエネルギーがグリーンエネルギーであることを確かめることは難しい。
【０００５】
そこで、本技術は、上記のような事情を受けて考案されたものであり、貯蓄されたグリーンエネルギーが確かにグリーンエネルギーであることを証明することが可能な、新規かつ改良されたエネルギー充填装置、エネルギー貯蓄装置、エネルギー消費装置、及びグリーンエネルギーの管理方法を提供することを意図している。
【課題を解決するための手段】
【０００６】
本技術のある観点によれば、エネルギー貯蓄装置にグリーンエネルギーを充填するエネルギー充填部と、前記エネルギー貯蓄装置により測定されたグリーンエネルギーの充填量を示す測定量情報を当該エネルギー貯蓄装置から取得する測定量情報取得部と、前記エネルギー充填部により充填されたグリーンエネルギーの充填量と、前記測定量情報に示されたグリーンエネルギーの充填量とが一致した場合に、前記エネルギー貯蓄装置に充填されたグリーンエネルギーの量を証明するための証明書を発行する証明書発行部と、を備え、前記証明書は、前記エネルギー貯蓄装置と対応付けて管理され、当該証明書により証明される量のグリーンエネルギーが前記エネルギー貯蓄装置から出力された場合に破棄される、エネルギー充填装置が提供される。
【発明の効果】
【０００７】
以上説明したように本技術によれば、貯蓄されたグリーンエネルギーが確かにグリーンエネルギーであることを証明することが可能になる。
【図面の簡単な説明】
【０００８】
【図１】エネルギーの受給環境について説明するための図である。
【図２】エネルギーの貯蓄及び消費工程（第１実施形態）について説明するための図である。
【図３】エネルギー充填装置の構成例（第１実施形態）を示した図である。
【図４】エネルギー貯蓄装置の構成例（第１実施形態）を示した図である。
【図５】エネルギーの貯蓄工程（第１実施形態）について説明するための図である。
【図６】エネルギーの貯蓄工程（第１実施形態）について説明するための図である。
【図７】エネルギーの消費工程（第１実施形態）について説明するための図である。
【図８】エネルギーの消費工程（第１実施形態）について説明するための図である。
【図９】エネルギーの貯蓄及び消費工程（第２実施形態）について説明するための図である。
【図１０】エネルギー充填装置の構成例（第２実施形態）を示した図である。
【図１１】エネルギー貯蓄装置の構成例（第２実施形態）を示した図である。
【図１２】エネルギーの貯蓄工程（第２実施形態）について説明するための図である。
【図１３】エネルギーの貯蓄工程（第２実施形態）について説明するための図である。
【図１４】エネルギーの消費工程（第２実施形態）について説明するための図である。
【図１５】エネルギーの消費工程（第２実施形態）について説明するための図である。
【図１６】エネルギー消費装置の構成例（第３実施形態）を示した図である。
【図１７】エネルギー貯蓄装置の構成例（第３実施形態）を示した図である。
【図１８】エネルギーの消費工程（第３実施形態）について説明するための図である。
【図１９】エネルギーの消費工程（第３実施形態）について説明するための図である。
【図２０】エネルギーの消費工程（第４実施形態）について説明するための図である。
【図２１】エネルギーの消費工程（第４実施形態）について説明するための図である。
【図２２】証明書の利用例（利用例＃１）について説明するための図である。
【図２３】証明書の利用例（利用例＃２）について説明するための図である。
【図２４】証明書の利用例（利用例＃３）について説明するための図である。
【発明を実施するための形態】
【０００９】
以下に添付図面を参照しながら、本技術に係る好適な実施の形態について詳細に説明する。なお、本明細書及び図面において、実質的に同一の機能構成を有する構成要素については、同一の符号を付することにより重複説明を省略する。
【００１０】
［説明の流れについて］
ここで、以下に記載する説明の流れについて簡単に述べる。
【００１１】
まず、図１を参照しながら、エネルギーの受給環境について説明する。次いで、図２〜図８を参照しながら、本技術の第１実施形態について説明する。次いで、図９〜図１５を参照しながら、本技術の第２実施形態について説明する。次いで、図１６〜図１９を参照しながら、本技術の第３実施形態について説明する。次いで、図２０及び図２１を参照しながら、本技術の第４実施形態について説明する。次いで、図２２〜図２４を参照しながら、本技術の第１〜第４実施形態に係る証明書の利用例について説明する。
【００１２】
最後に、同実施形態の技術的思想について纏め、当該技術的思想から得られる作用効果について簡単に説明する。
【００１３】
（説明項目）
１：はじめに
２：第１実施形態（証明書を貯蓄装置に格納する構成）
２−１：想定する処理工程
２−２：エネルギー充填装置１２の構成例
２−３：エネルギー貯蓄装置１３の構成例
２−４：エネルギーの貯蓄工程における装置の動作
２−５：エネルギーの消費工程における装置の動作
３：第２実施形態（証明書をクラウドに格納する構成）
３−１：想定する処理工程
３−２：エネルギー充填装置１２の構成例
３−３：エネルギー貯蓄装置１３の構成例
３−４：エネルギーの貯蓄工程における装置の動作
３−５：エネルギーの消費工程における装置の動作
４：第３実施形態（消費装置が証明書を発行して貯蓄装置に格納する構成）
４−１：エネルギー消費装置１４の構成例
４−２：エネルギー貯蓄装置１３の構成例
４−３：エネルギーの消費工程における装置の動作
５：第４実施形態（消費装置が証明書を発行してクラウドに格納する構成）
５−１：エネルギーの消費工程における装置の構成及び動作
６：証明書の利用例
６−１：利用例＃１（機能の制限）
６−２：利用例＃２（ユーザへの利益供与）
６−３：利用例＃３（サービスの提供）
７：補遺
８：まとめ
【００１４】
＜１：はじめに＞
近年、太陽光発電設備を備えた住宅が増えてきている。また、家庭内の電力を総合的に管理するホームエネルギーマネジメントシステム（ＨＥＭＳ）を一般家庭に普及させようとする試みもある。太陽光発電設備で発電した電力の多くは家庭内で消費される。また、太陽光発電設備で発電した電力のうち、家庭内で消費しきれなかった余剰電力は、電力会社に売電される。
【００１５】
太陽光発電設備で発電される電力の量は天候などに左右される。そのため、電力会社に売電される余剰電力の量は不安定になる。不安定な電力の買い取りは、電力会社にとって大きな負担になる。その結果、現状では余剰電力の売電価格が低く抑えられている。こうした状況に鑑み、余剰電力を貯蓄するためのバッテリを住宅に設置し、バッテリに貯蓄された電力を夜間や雨天時などに家庭内で有効に活用する仕組みが普及しつつある。
【００１６】
つまり、一般家庭において、図１に示すようなエネルギーの受給環境が整いつつある。上記の説明は電力に関するものであったが、図１は、より抽象的に一般家庭におけるエネルギーの受給環境を表現したものである。例えば、図１に示すように、グリーンエネルギー発生装置１１、エネルギー充填装置１２、エネルギー貯蓄装置１３が住宅に設置される。エネルギー充填装置１２は、エネルギー貯蓄装置１３にエネルギーを充填するものである。また、エネルギー貯蓄装置１３は、エネルギーを貯蓄するものである。
【００１７】
エネルギー充填装置１２には、グリーンエネルギー発生装置１１で発生したグリーンエネルギーが供給される。さらに、エネルギー充填装置１２には、系統電力が供給される。上記説明において余剰電力を電力会社に売電する仕組みについて説明したが、太陽光発電設備で発電される電力の量が家庭内で消費される電力の量を下回ると、電力会社から電力を買電する仕組みも設けられている。従って、エネルギー貯蓄装置１３には、グリーンエネルギー発生装置１１で発生したグリーンエネルギーと系統電力に由来するエネルギーとが混在する。
【００１８】
エネルギー貯蓄装置１３に貯蓄されたエネルギーは、家庭内又は家庭外のエネルギー消費装置１４（非図示）により消費される。上記の通り、エネルギー貯蓄装置１３には、グリーンエネルギー発生装置１１で発生したグリーンエネルギーと、系統電力に由来するエネルギーとが混在している。そのため、エネルギー消費装置１４で消費したエネルギーがグリーンエネルギーであるか否かを判別することは難しい。従って、グリーンエネルギーの消費を奨励するために、グリーンエネルギーを消費した人に対して何らかの特典を与えようとしても、その人が本当にグリーンエネルギーを消費したという事実を証明することは難しい。
【００１９】
そこで、本件発明者は、エネルギー貯蓄装置１３に貯蓄されたエネルギーを消費する際に、グリーンエネルギーを消費していることを確認できるようにする仕組みを考案した。この仕組みを用いることで、グリーンエネルギーを利用して動作する機器を製造したり、グリーンエネルギーを利用する際に機能が追加される機器を製造したりすることが可能になる。また、この仕組みを用いることで、グリーンエネルギーを消費した人に対し、特別なサービスを提供したり、グリーンエネルギーの消費量に応じた特典を付与したりすることが可能になる。
【００２０】
また、上記の仕組みは「グリーンエネルギーの消費」を証明する仕組みであるため、この仕組みを用いることで、グリーンエネルギーが実際に消費されている状況を見える化することが可能になる。例えば、この仕組みを用いることで、ソーシャルネットワークを利用し、友達同士でグリーンエネルギーの消費量を比べたり、グリーンエネルギーの消費量ランキングを行って上位の人を報奨したりすることが可能になる。こうしたアプリケーションは、グリーンエネルギーの消費に対する人々のモチベーションを高めることに寄与する。
【００２１】
以下、グリーンエネルギーの消費を証明できるようにする仕組みについて説明する。
【００２２】
＜２：第１実施形態（証明書を貯蓄装置に格納する構成）＞
本技術の第１実施形態について説明する。
【００２３】
［２−１：想定する処理工程］
まず、図２を参照しながら、本実施形態において想定する処理工程について説明する。図２は、本実施形態において想定する処理工程を示した説明図である。なお、以下の説明において、太破線の矢印はエネルギーの流れを示し、実線の矢印は情報の流れを示す。
【００２４】
本実施形態においては、図２に示すようなエネルギーの貯蓄工程及びエネルギーの消費工程について考える。エネルギーの貯蓄工程及びエネルギーの消費工程における処理工程の概要は以下の通りである。
【００２５】
エネルギーの貯蓄工程において、エネルギー充填装置１２は、グリーンエネルギー発生装置１１で発生したエネルギーをエネルギー貯蓄装置１３に充填する。このとき、エネルギー充填装置１２は、エネルギー貯蓄装置１３に充填したエネルギーがグリーンエネルギーであることを証明する証明書を発行する。一方、エネルギーの消費工程において、エネルギー消費装置１４は、エネルギー貯蓄装置１３に貯蓄されているエネルギーを消費する。このとき、エネルギー消費装置１４は、エネルギー充填装置１２が発行した証明書を利用してエネルギー貯蓄装置１３に貯蓄されているエネルギーがグリーンエネルギーであることを証明する。
【００２６】
以上、本実施形態において想定する処理工程について説明した。以下では、エネルギー充填装置１２の構成例、エネルギー貯蓄装置１３の構成例、エネルギーの貯蓄工程における各装置の動作、及びエネルギーの消費工程における各装置の動作について詳細に説明する。
【００２７】
［２−２：エネルギー充填装置１２の構成例］
図３を参照しながら、本実施形態に係るエネルギー充填装置１２の構成例について説明する。図３は、本実施形態に係るエネルギー充填装置１２の構成例を示した説明図である。
【００２８】
図３に示すように、エネルギー充填装置１２は、主に、エネルギー入力部１２１と、エネルギー量測定部１２２と、エネルギー出力部１２３と、署名検証部１２４と、証明書発行可否判定部１２５と、証明書発行部１２６とにより構成される。
【００２９】
エネルギー入力部１２１は、グリーンエネルギー発生装置１１で発生したグリーンエネルギーを入力するための入力端子である。また、エネルギー入力部１２１は、エネルギー量測定部１２２に接続されている。そのため、エネルギー入力部１２１に入力されたエネルギーは、エネルギー量測定部１２２に入力される。エネルギーが入力されると、エネルギー量測定部１２２は、入力されたエネルギーの量（以下、充填量）を測定する。そして、エネルギー量測定部１２２は、充填量の情報を証明書発行可否判定部１２５に入力する。
【００３０】
また、エネルギー量測定部１２２は、エネルギー出力部１２３に接続されている。そのため、エネルギー量測定部１２２に入力されたエネルギーは、エネルギー出力部１２３に入力される。エネルギー出力部１２３は、エネルギーを出力するための出力端子である。例えば、エネルギー出力部１２３にエネルギー貯蓄装置１３が接続されると、エネルギー出力部１２３に入力されたエネルギーは、エネルギー貯蓄装置１３に向けて出力される。
【００３１】
署名検証部１２４は、電子署名を検証する構成要素である。例えば、署名検証部１２４は、エネルギー貯蓄装置１３から電子署名を取得した場合に、エネルギー貯蓄装置１３の公開鍵を用いて電子署名を検証する。後述するように、エネルギー貯蓄装置１３は、エネルギー充填装置１２から供給されたエネルギーの量（以下、貯蓄量）を測定し、貯蓄量の情報に電子署名を付けてエネルギー充填装置１２に提供する。従って、署名検証部１２４は、提供された貯蓄量の情報が確かにエネルギー貯蓄装置１３から提供された情報であることを検証する。
【００３２】
署名検証部１２４による検証結果は、証明書発行可否判定部１２５に入力される。このとき、署名検証部１２４は、エネルギー貯蓄装置１３が測定した貯蓄量の情報を証明書発行可否判定部１２５に入力する。つまり、証明書発行可否判定部１２５には、充填量の情報及び貯蓄量の情報が入力される。
【００３３】
充填量の情報及び貯蓄量の情報が入力されると、証明書発行可否判定部１２５は、入力された情報に基づいて充填量と貯蓄量とを比較する。充填量と貯蓄量とが許容可能な誤差の範囲内で一致する場合、証明書発行可否判定部１２５は、証明書の発行を許可する。一方、充填量と貯蓄量とが許容可能な誤差の範囲内で一致しない場合、証明書発行可否判定部１２５は、証明書の発行を許可しない。証明書の発行を許可する場合、証明書発行可否判定部１２５は、証明書の発行許可を証明書発行部１２６に通知する。
【００３４】
証明書の発行許可が通知されると、証明書発行部１２６は、エネルギー貯蓄装置１３に貯蓄されたエネルギーがグリーンエネルギーであることを証明する証明書を発行する。証明書発行部１２６が発行した証明書は、エネルギー貯蓄装置１３に提供される。なお、この証明書には、貯蓄量の情報、及びエネルギー貯蓄装置１３を識別するための識別情報が含まれる。
【００３５】
以上、本実施形態に係るエネルギー充填装置１２の構成例について説明した。なお、図３に示した構成要素以外にも、エネルギー充填装置１２には、入力デバイス、出力デバイス、通信デバイスなどが搭載されていてもよい。入力デバイスは、例えば、タッチセンサやボタンなどである。また、出力デバイスは、例えば、表示装置や音声出力装置などである。通信デバイスは、例えば、無線通信インターフェースや有線通信インターフェースなどである。
【００３６】
さらに、エネルギー充填装置１２は、系統電力を入力するための入力端子（非図示）を搭載している。但し、系統電力に由来するエネルギーは、非グリーンエネルギーとみなす。そのため、系統電力が入力端子に入力された場合、エネルギー充填装置１２は、証明書を発行するための処理を実行しない。そのため、エネルギー貯蓄装置１３に系統電力に由来するエネルギーが貯蓄されても、エネルギー貯蓄装置１３に対して証明書が提供されることはない。
【００３７】
［２−３：エネルギー貯蓄装置１３の構成例］
次に、図４を参照しながら、本実施形態に係るエネルギー貯蓄装置１３の構成例について説明する。図４は、本実施形態に係るエネルギー貯蓄装置１３の構成例を示した説明図である。
【００３８】
図４に示すように、エネルギー貯蓄装置１３は、主に、エネルギー入力部１３１と、エネルギー量測定部１３２と、エネルギー貯蓄部１３３と、署名生成部１３４と、証明書保持部１３５と、エネルギー出力部１３６と、証明書破棄部１３７とにより構成される。
【００３９】
エネルギー入力部１３１は、エネルギー充填装置１２からエネルギーを入力するための入力端子である。エネルギー入力部１３１は、エネルギー量測定部１３２に接続されている。そのため、エネルギー入力部１３１に入力されたエネルギーは、エネルギー量測定部１３２に入力される。エネルギーが入力されると、エネルギー量測定部１３２は、入力されたエネルギーの量（貯蓄量）を測定する。そして、エネルギー量測定部１３２は、測定した貯蓄量の情報を署名生成部１３４に入力する。
【００４０】
また、エネルギー量測定部１３２は、エネルギー貯蓄部１３３に接続されている。そのため、エネルギー量測定部１３２に入力されたエネルギーは、エネルギー貯蓄部１３３に入力される。エネルギーが入力されると、エネルギー貯蓄部１３３は、エネルギーを貯蓄する。また、エネルギー貯蓄部１３３は、エネルギー出力部１３６に接続されている。そのため、エネルギー貯蓄部１３３は、貯蓄されたエネルギーをエネルギー出力部１３６に入力できる。なお、エネルギー出力部１３６は、エネルギー消費装置１４に向けてエネルギーを出力するための出力端子である。
【００４１】
さて、エネルギー量測定部１３２から貯蓄量の情報が入力されると、署名生成部１３４は、入力された貯蓄量の情報に対する電子署名を生成する。例えば、署名生成部１３４は、エネルギー貯蓄装置１３の公開鍵とペアを成す秘密鍵を用いて電子署名を生成する。そして、署名生成部１３４は、生成した電子署名を貯蓄量の情報に付与してエネルギー充填装置１２に提供する。
【００４２】
先に説明したように、電子署名を付与した貯蓄量の情報を取得したエネルギー充填装置１２は、電子署名の検証が成功すると、エネルギー貯蓄装置１３に貯蓄したエネルギーがグリーンエネルギーであることを証明する証明書を発行する。そして、エネルギー充填装置１２は、発行した証明書をエネルギー貯蓄装置１３に提供する。エネルギー貯蓄装置１３は、エネルギー充填装置１２が発行した証明書を取得すると、証明書保持部１３５に格納する。証明書保持部１３５は、格納された証明書を保持する。
【００４３】
さて、エネルギー出力部１３６にエネルギー消費装置１４が接続されると、エネルギー貯蓄部１３３に貯蓄されたエネルギーは、エネルギー出力部１３６を介してエネルギー消費装置１４に入力される。このとき、エネルギー出力部１３６は、エネルギー貯蓄部１３３に貯蓄されたエネルギーをエネルギー消費装置１４に入力したことを証明書破棄部１３７に通知する。この通知を受けた証明書破棄部１３７は、証明書保持部１３５に格納された証明書を破棄する。なお、エネルギーの出力に応じて証明書を破棄することにより、検証プロセスを単純化することができる。
【００４４】
以上、本実施形態に係るエネルギー貯蓄装置１３の構成例について説明した。なお、図４に示した構成要素以外にも、エネルギー貯蓄装置１３には、入力デバイス、出力デバイス、通信デバイスなどが搭載されていてもよい。入力デバイスは、例えば、タッチセンサやボタンなどである。また、出力デバイスは、例えば、表示装置や音声出力装置などである。通信デバイスは、例えば、無線通信インターフェースや有線通信インターフェースなどである。
【００４５】
［２−４：エネルギーの貯蓄工程における装置の動作］
次に、図５及び図６を併せて参照しながら、エネルギーの貯蓄工程における各装置の動作について説明する。図５及び図６は、エネルギーの貯蓄工程における各装置の動作を示した説明図である。
【００４６】
まず、グリーンエネルギー発生装置１１で発生したエネルギーが、エネルギー充填装置１２のエネルギー入力部１２１に入力される（Ｓ１０１）。エネルギーが入力されると、エネルギー充填装置１２は、エネルギー量測定部１２２の機能により、エネルギー入力部１２１に入力されたエネルギーの量（充填量）を計測する（Ｓ１０２）。充填量の情報は、証明書発行可否判定部１２５に入力される。また、エネルギー充填装置１２は、エネルギー出力部１２３を介してエネルギー貯蓄装置１３にエネルギーを充填する（Ｓ１０３）。
【００４７】
そして、エネルギー貯蓄装置１３に充填されたエネルギーは、エネルギー貯蓄部１３３に貯蓄される（Ｓ１０３）。このとき、エネルギー貯蓄装置１３は、エネルギー量測定部１３２の機能により、エネルギー貯蓄部１３３に貯蓄されたエネルギーの量（貯蓄量）を計測する（Ｓ１０４）。貯蓄量の情報は、署名生成部１３４に入力される。次いで、エネルギー貯蓄装置１３は、署名生成部１３４の機能により、入力された貯蓄量の情報に関する電子署名を生成し（Ｓ１０５）、生成した電子署名をエネルギー充填装置１２に提供する。
【００４８】
次いで、エネルギー充填装置１２は、署名検証部１２４の機能により、エネルギー貯蓄装置１３から取得した電子署名を検証する（Ｓ１０６）。電子署名の検証に成功した場合、エネルギー充填装置１２は、証明書発行可否判定部１２５の機能により、証明書発行の可否を判定する（Ｓ１０７）。例えば、エネルギー充填装置１２は、証明書発行可否判定部１２５の機能により、充填量と貯蓄量とが許容可能な誤差の範囲で一致するか否かを判定する。充填量と貯蓄量とが許容可能な誤差の範囲で一致した場合、エネルギー充填装置１２は、証明書発行部１２６の機能により、証明書を発行し（Ｓ１０８）、エネルギー貯蓄装置１３に提供する。
【００４９】
次いで、エネルギー貯蓄装置１３は、エネルギー充填装置１２が発行した証明書を取得し、取得した証明書を証明書保持部１３５に格納する（Ｓ１０９）。証明書保持部１３５に証明書が格納されると、エネルギーの貯蓄工程に関する一連の処理が終了する。なお、ステップＳ１０６において電子署名の検証が失敗した場合、証明書は発行されない。また、ステップＳ１０７において充填量と貯蓄量とが許容可能な誤差の範囲で一致しなかった場合、証明書は発行されない。
【００５０】
以上、エネルギーの貯蓄工程における各装置の動作について説明した。なお、エネルギーの貯蓄工程の開始前にエネルギー貯蓄装置１３が既に証明書を保持している場合、エネルギー充填装置１２は、その証明書に含まれる貯蓄量の情報に基づいてエネルギー貯蓄装置１３に貯蓄されているグリーンエネルギーの量を確認することができる。そこで、エネルギー充填装置１２は、エネルギーの充填後に、エネルギー貯蓄装置１３に貯蓄されるグリーンエネルギーの総量に対する証明書を発行するように構成されていてもよい。
【００５１】
［２−５：エネルギーの消費工程における装置の動作］
次に、図７及び図８を併せて参照しながら、エネルギーの消費工程における各装置の動作について説明する。図７及び図８は、エネルギーの消費工程における各装置の動作を示した説明図である。
【００５２】
まず、エネルギー消費装置１４の構成例について簡単に説明する。図７に示すように、エネルギー消費装置１４は、主に、証明書検証部１４１と、エネルギー入力部１４２と、エネルギー消費部１４３とにより構成されている。証明書検証部１４１は、証明書の正当性を検証する構成要素である。エネルギー入力部１４２は、エネルギーを入力するための入力端子である。また、エネルギー消費部１４３は、エネルギーを消費する構成要素である。証明書検証部１４１により証明書の正当性が確認されると、エネルギー入力部１４２は、エネルギーの入力を受け入れる。そのため、証明書の正当性が確認されない場合、エネルギーは、エネルギー消費部１４３に入力されない。以上、エネルギー消費装置１４の構成例について説明した。
【００５３】
次に、図７及び図８を併せて参照する。エネルギー消費装置１４とエネルギー貯蓄装置１３とが接続されると、エネルギー貯蓄装置１３からエネルギー消費装置１４に証明書が提供される。証明書が提供されると、エネルギー消費装置１４は、証明書検証部１４１の機能により、証明書の正当性を検証する（Ｓ１１１）。証明書の正当性が確認された場合、エネルギー消費装置１４は、エネルギーの受け入れを開始する。そして、エネルギーの供給が開始される（Ｓ１１２）。エネルギー消費装置１４に対するエネルギーの供給を開始すると、エネルギー貯蓄装置１３は、証明書破棄部１３７の機能により、証明書保持部１３５に格納されている証明書を破棄する（Ｓ１１３）。
【００５４】
エネルギー消費装置１４に供給されたエネルギーは、エネルギー入力部１４２を介してエネルギー消費部１４３に入力される。エネルギーが入力されると、エネルギー消費装置１４は、エネルギー消費部１４３の機能により、入力されたエネルギーを消費する（Ｓ１１４）。エネルギー消費部１４３によりエネルギーが消費されると、エネルギーの消費工程における一連の処理が終了する。なお、ステップＳ１１１において証明書の検証に失敗した場合、エネルギー消費装置１４に対するエネルギーの供給は行われない。また、エネルギーの供給が行われない場合、証明書の破棄も行われない。
【００５５】
以上、エネルギーの消費工程における各装置の動作について説明した。なお、上記の説明は、グリーンエネルギーだけを利用して動作するエネルギー消費装置１４の構成例に関するものであった。ここで示した構成例のように、証明書を利用することで、供給されるエネルギーがグリーンエネルギーであるか否かに応じてエネルギーの受け入れを制御する仕組みを実現することができる。また、この仕組みを変形し、非グリーンエネルギーの受け入れを完全に拒否するのではなく、供給されるエネルギーが非グリーンエネルギーの場合にエネルギー消費装置１４の機能を制限する仕組みを実現することも可能である。
【００５６】
以上、本技術の第１実施形態について説明した。本実施形態に係る技術を用いると、証明書を利用して、エネルギー貯蓄装置１３から供給されるエネルギーがグリーンエネルギーであるか否かを確認することができるようになる。そのため、グリーンエネルギーで動作する機器の実現や、グリーンエネルギーを利用することで機能が向上する機器の実現などが可能になる。
【００５７】
＜３：第２実施形態（証明書をクラウドに格納する構成）＞
次に、本技術の第２実施形態について説明する。本実施形態は、エネルギーの貯蓄工程でエネルギー充填装置１２が発行した証明書をエネルギー貯蓄装置１３に対応付けて外部サーバ１５（例えば、クラウドシステムなど）に保持する構成に関する。
【００５８】
［３−１：想定する処理工程］
まず、図９を参照しながら、本実施形態において想定する処理工程について説明する。図９は、本実施形態において想定する処理工程を示した説明図である。なお、以下の説明において、太破線の矢印はエネルギーの流れを示し、実線の矢印は情報の流れを示す。
【００５９】
本実施形態においては、図９に示すようなエネルギーの貯蓄工程及びエネルギーの消費工程について考える。エネルギーの貯蓄工程及びエネルギーの消費工程における処理工程の概要は以下の通りである。
【００６０】
エネルギーの貯蓄工程において、エネルギー充填装置１２は、グリーンエネルギー発生装置１１で発生したエネルギーをエネルギー貯蓄装置１３に充填する。このとき、エネルギー充填装置１２は、エネルギー貯蓄装置１３に充填したエネルギーがグリーンエネルギーであることを証明する証明書を発行する。この証明書は、エネルギー貯蓄装置１３に対応付けられ、ネットワーク上にある外部サーバ１５に格納される。例えば、外部サーバ１５は、エネルギー貯蓄装置１３を識別するための識別情報と証明書とを対応付けて保持する。
【００６１】
一方、エネルギーの消費工程において、エネルギー消費装置１４は、エネルギー貯蓄装置１３に貯蓄されているエネルギーを消費する。このとき、エネルギー消費装置１４は、エネルギー充填装置１２が発行した証明書を外部サーバ１５から取得する。そして、エネルギー消費装置１４は、取得した証明書及びその証明書に対応付けられた識別情報を利用してエネルギー貯蓄装置１３に貯蓄されているエネルギーがグリーンエネルギーであることを証明する。
【００６２】
以上、本実施形態において想定する処理工程について説明した。以下では、エネルギー充填装置１２の構成例、エネルギー貯蓄装置１３の構成例、エネルギーの貯蓄工程における各装置の動作、及びエネルギーの消費工程における各装置の動作について詳細に説明する。
【００６３】
［３−２：エネルギー充填装置１２の構成例］
図１０を参照しながら、本実施形態に係るエネルギー充填装置１２の構成例について説明する。図１０は、本実施形態に係るエネルギー充填装置１２の構成例を示した説明図である。
【００６４】
図１０に示すように、エネルギー充填装置１２は、主に、エネルギー入力部１２１と、エネルギー量測定部１２２と、エネルギー出力部１２３と、署名検証部１２４と、証明書発行可否判定部１２５と、証明書発行部１２６と、通信部１２７とにより構成される。上記の第１実施形態に係るエネルギー充填装置１２との主な違いは通信部１２７の有無にある。
【００６５】
エネルギー入力部１２１は、グリーンエネルギー発生装置１１で発生したグリーンエネルギーを入力するための入力端子である。また、エネルギー入力部１２１は、エネルギー量測定部１２２に接続されている。そのため、エネルギー入力部１２１に入力されたエネルギーは、エネルギー量測定部１２２に入力される。エネルギーが入力されると、エネルギー量測定部１２２は、入力されたエネルギーの量（充填量）を測定する。そして、エネルギー量測定部１２２は、充填量の情報を証明書発行可否判定部１２５に入力する。
【００６６】
また、エネルギー量測定部１２２は、エネルギー出力部１２３に接続されている。そのため、エネルギー量測定部１２２に入力されたエネルギーは、エネルギー出力部１２３に入力される。エネルギー出力部１２３は、エネルギーを出力するための出力端子である。例えば、エネルギー出力部１２３にエネルギー貯蓄装置１３が接続されると、エネルギー出力部１２３に入力されたエネルギーは、エネルギー貯蓄装置１３に向けて出力される。
【００６７】
署名検証部１２４は、電子署名を検証するものである。例えば、署名検証部１２４は、エネルギー貯蓄装置１３から電子署名を取得した場合に、エネルギー貯蓄装置１３の公開鍵を用いて電子署名を検証する。後述するように、エネルギー貯蓄装置１３は、エネルギー充填装置１２から供給されたエネルギーの量（貯蓄量）を測定し、貯蓄量の情報に電子署名を付けてエネルギー充填装置１２に提供する。従って、署名検証部１２４は、提供された貯蓄量の情報が確かにエネルギー貯蓄装置１３から提供された情報であることを検証する。
【００６８】
署名検証部１２４による検証結果は、証明書発行可否判定部１２５に入力される。このとき、署名検証部１２４は、エネルギー貯蓄装置１３が測定した貯蓄量の情報を証明書発行可否判定部１２５に入力する。つまり、証明書発行可否判定部１２５には、充填量の情報及び貯蓄量の情報が入力される。
【００６９】
充填量の情報及び貯蓄量の情報が入力されると、証明書発行可否判定部１２５は、入力された情報に基づいて充填量と貯蓄量とを比較する。充填量と貯蓄量とが許容可能な誤差の範囲内で一致する場合、証明書発行可否判定部１２５は、証明書の発行を許可する。一方、充填量と貯蓄量とが許容可能な誤差の範囲内で一致しない場合、証明書発行可否判定部１２５は、証明書の発行を許可しない。証明書の発行を許可する場合、証明書発行可否判定部１２５は、証明書の発行許可を証明書発行部１２６に通知する。
【００７０】
証明書の発行許可が通知されると、証明書発行部１２６は、エネルギー貯蓄装置１３に貯蓄されたエネルギーがグリーンエネルギーであることを証明する証明書を発行する。証明書発行部１２６が発行した証明書は、通信部１２７を介して外部サーバ１５に提供される。なお、この証明書には、貯蓄量の情報、及びエネルギー貯蓄装置１３を識別するための識別情報が含まれる。
【００７１】
以上、本実施形態に係るエネルギー充填装置１２の構成例について説明した。なお、図１０に示した構成要素以外にも、エネルギー充填装置１２には、入力デバイス、出力デバイスなどが搭載されていてもよい。入力デバイスは、例えば、タッチセンサやボタンなどである。また、出力デバイスは、例えば、表示装置や音声出力装置などである。
【００７２】
さらに、エネルギー充填装置１２は、系統電力を入力するための入力端子（非図示）を搭載している。但し、系統電力に由来するエネルギーは、非グリーンエネルギーとみなす。そのため、系統電力が入力端子に入力された場合、エネルギー充填装置１２は、証明書を発行するための処理を実行しない。そのため、エネルギー貯蓄装置１３に系統電力に由来するエネルギーが貯蓄されても、エネルギー貯蓄装置１３に対して証明書が提供されることはない。
【００７３】
［３−３：エネルギー貯蓄装置１３の構成例］
次に、図１１を参照しながら、本実施形態に係るエネルギー貯蓄装置１３の構成例について説明する。図１１は、本実施形態に係るエネルギー貯蓄装置１３の構成例を示した説明図である。
【００７４】
図１１に示すように、エネルギー貯蓄装置１３は、主に、エネルギー入力部１３１と、エネルギー量測定部１３２と、エネルギー貯蓄部１３３と、署名生成部１３４と、エネルギー出力部１３６とにより構成される。上記の第１実施形態に係るエネルギー貯蓄装置１３との違いは、証明書保持部１３５及び証明書破棄部１３７の有無にある。
【００７５】
エネルギー入力部１３１は、エネルギー充填装置１２からエネルギーを入力するための入力端子である。エネルギー入力部１３１は、エネルギー量測定部１３２に接続されている。そのため、エネルギー入力部１３１に入力されたエネルギーは、エネルギー量測定部１３２に入力される。エネルギーが入力されると、エネルギー量測定部１３２は、入力されたエネルギーの量（貯蓄量）を測定する。そして、エネルギー量測定部１３２は、測定した貯蓄量の情報を署名生成部１３４に入力する。
【００７６】
また、エネルギー量測定部１３２は、エネルギー貯蓄部１３３に接続されている。そのため、エネルギー量測定部１３２に入力されたエネルギーは、エネルギー貯蓄部１３３に入力される。エネルギーが入力されると、エネルギー貯蓄部１３３は、エネルギーを貯蓄する。また、エネルギー貯蓄部１３３は、エネルギー出力部１３６に接続されている。そのため、エネルギー貯蓄部１３３は、貯蓄されたエネルギーをエネルギー出力部１３６に入力できる。なお、エネルギー出力部１３６は、エネルギー消費装置１４に向けてエネルギーを出力するための出力端子である。
【００７７】
さて、エネルギー量測定部１３２から貯蓄量の情報が入力されると、署名生成部１３４は、入力された貯蓄量の情報に対する電子署名を生成する。例えば、署名生成部１３４は、エネルギー貯蓄装置１３の公開鍵とペアを成す秘密鍵を用いて電子署名を生成する。そして、署名生成部１３４は、生成した電子署名を貯蓄量の情報に付与してエネルギー充填装置１２に提供する。このとき、署名生成部１３４は、エネルギー貯蓄装置１３を識別するための識別情報（識別子）をエネルギー充填装置１２に提供する。
【００７８】
また、エネルギー出力部１３６にエネルギー消費装置１４が接続されると、エネルギー貯蓄部１３３に貯蓄されたエネルギーは、エネルギー出力部１３６を介してエネルギー消費装置１４に入力される。
【００７９】
以上、本実施形態に係るエネルギー貯蓄装置１３の構成例について説明した。なお、図１１に示した構成要素以外にも、エネルギー貯蓄装置１３には、入力デバイス、出力デバイス、通信デバイスなどが搭載されていてもよい。入力デバイスは、例えば、タッチセンサやボタンなどである。また、出力デバイスは、例えば、表示装置や音声出力装置などである。通信デバイスは、例えば、無線通信インターフェースや有線通信インターフェースなどである。
【００８０】
［３−４：エネルギーの貯蓄工程における装置の動作］
次に、図１２及び図１３を併せて参照しながら、エネルギーの貯蓄工程における各装置の動作について説明する。図１２及び図１３は、エネルギーの貯蓄工程における各装置の動作を示した説明図である。
【００８１】
まず、図１２を参照しながら、外部サーバ１５の構成例について簡単に説明する。図１２に示すように、外部サーバ１５は、主に、証明書保持部１５１と、証明書破棄部１５２とにより構成される。証明書保持部１５１は、エネルギー充填装置１２が発行した証明書を保持する構成要素である。また、証明書破棄部１５２は、エネルギー貯蓄装置１３に貯蔵されたグリーンエネルギーが消費された場合に証明書を破棄する構成要素である。以上、外部サーバ１５の構成例について説明した。
【００８２】
次に、図１２及び図１３を併せて参照する。まず、グリーンエネルギー発生装置１１で発生したエネルギーが、エネルギー充填装置１２のエネルギー入力部１２１に入力される（Ｓ１３１）。エネルギーが入力されると、エネルギー充填装置１２は、エネルギー量測定部１２２の機能により、エネルギー入力部１２１に入力されたエネルギーの量（充填量）を計測する（Ｓ１３２）。貯蓄量の情報は、証明書発行可否判定部１２５に入力される。また、エネルギー充填装置１２は、エネルギー出力部１２３を介してエネルギー貯蓄装置１３にエネルギーを充填する（Ｓ１３３）。
【００８３】
そして、エネルギー貯蓄装置１３に充填されたエネルギーは、エネルギー貯蓄部１３３に貯蓄される（Ｓ１３３）。このとき、エネルギー貯蓄装置１３は、エネルギー量測定部１３２の機能により、エネルギー貯蓄部１３３に貯蓄されたエネルギーの量（貯蓄量）を計測する（Ｓ１３４）。貯蓄量の情報は、署名生成部１３４に入力される。次いで、エネルギー貯蓄装置１３は、署名生成部１３４の機能により、入力された貯蓄量の情報に関する電子署名を生成し（Ｓ１３５）、生成した電子署名をエネルギー充填装置１２に提供する。
【００８４】
次いで、エネルギー充填装置１２は、署名検証部１２４の機能により、エネルギー貯蓄装置１３から取得した電子署名を検証する（Ｓ１３６）。電子署名の検証に成功した場合、エネルギー充填装置１２は、証明書発行可否判定部１２５の機能により、証明書発行の可否を判定する（Ｓ１３７）。例えば、エネルギー充填装置１２は、証明書発行可否判定部１２５の機能により、充填量と貯蓄量とが許容可能な誤差の範囲で一致するか否かを判定する。充填量と貯蓄量とが許容可能な誤差の範囲で一致した場合、エネルギー充填装置１２は、証明書発行部１２６の機能により、証明書を発行し（Ｓ１３８）、外部サーバ１５に提供する。
【００８５】
次いで、外部サーバ１５は、エネルギー充填装置１２が発行した証明書を取得し、取得した証明書を証明書保持部１５１に格納する（Ｓ１３９）。証明書保持部１５１に証明書が格納されると、エネルギーの貯蓄工程に関する一連の処理が終了する。なお、ステップＳ１３６において電子署名の検証が失敗した場合、証明書は発行されない。また、ステップＳ１３７において充填量と貯蓄量とが許容可能な誤差の範囲で一致しなかった場合、証明書は発行されない。
【００８６】
以上、エネルギーの貯蓄工程における各装置の動作について説明した。なお、エネルギーの貯蓄工程の開始前に、外部サーバ１５が、対象となるエネルギー貯蓄装置１３の証明書を保持していることがある。この場合、エネルギー充填装置１２は、その証明書に含まれる貯蓄量の情報に基づいて、対象となるエネルギー貯蓄装置１３に貯蓄されているグリーンエネルギーの量を確認することができる。そこで、エネルギー充填装置１２は、エネルギーの充填後に、エネルギー貯蓄装置１３に貯蓄されるグリーンエネルギーの総量に対する証明書を発行するように構成されていてもよい。
【００８７】
［３−５：エネルギーの消費工程における装置の動作］
次に、図１４及び図１５を併せて参照しながら、エネルギーの消費工程における各装置の動作について説明する。図１４及び図１５は、エネルギーの消費工程における各装置の動作を示した説明図である。
【００８８】
まず、エネルギー消費装置１４の構成例について簡単に説明する。図１４に示すように、エネルギー消費装置１４は、主に、証明書検証部１４１と、エネルギー入力部１４２と、エネルギー消費部１４３と、通信部１４４とにより構成されている。証明書検証部１４１は、通信部１４４を介して外部サーバ１５から取得された証明書の正当性を検証する構成要素である。エネルギー入力部１４２は、エネルギーを入力するための入力端子である。また、エネルギー消費部１４３は、エネルギーを消費する構成要素である。証明書検証部１４１により証明書の正当性が確認されると、エネルギー入力部１４２は、エネルギーの入力を受け入れる。そのため、証明書の正当性が確認されない場合、エネルギーは、エネルギー消費部１４３に入力されない。以上、エネルギー消費装置１４の構成例について説明した。
【００８９】
次に、図１４及び図１５を併せて参照する。エネルギー消費装置１４とエネルギー貯蓄装置１３とが接続されると、エネルギー消費装置１４は、通信部１４４の機能により、外部サーバ１５から証明書を取得する。証明書を取得すると、エネルギー消費装置１４は、証明書検証部１４１の機能により、証明書の正当性を検証する（Ｓ１４１）。証明書の正当性が確認された場合、エネルギー消費装置１４は、エネルギーの受け入れを開始する（Ｓ１４２）。エネルギー消費装置１４に対するエネルギーの供給を開始すると、外部サーバ１５は、証明書破棄部１５２の機能により、証明書保持部１５１に格納されている証明書を破棄する（Ｓ１４３）。
【００９０】
エネルギー消費装置１４に供給されたエネルギーは、エネルギー入力部１４２を介してエネルギー消費部１４３に入力される。エネルギーが入力されると、エネルギー消費装置１４は、エネルギー消費部１４３の機能により、入力されたエネルギーを消費する（Ｓ１４４）。エネルギー消費部１４３によりエネルギーが消費されると、エネルギーの消費工程における一連の処理が終了する。なお、ステップＳ１４１において証明書の検証に失敗した場合、エネルギー消費装置１４に対するエネルギーの供給は行われない。また、エネルギーの供給が行われない場合、証明書の破棄も行われない。
【００９１】
以上、エネルギーの消費工程における各装置の動作について説明した。なお、上記の説明は、グリーンエネルギーだけを利用して動作するエネルギー消費装置１４の構成例に関するものであった。ここで示した構成例のように、証明書を利用することで、供給されるエネルギーがグリーンエネルギーであるか否かに応じてエネルギーの受け入れを制御する仕組みを実現することができる。また、この仕組みを変形し、非グリーンエネルギーの受け入れを完全に拒否するのではなく、供給されるエネルギーが非グリーンエネルギーの場合にエネルギー消費装置１４の機能を制限する仕組みを実現することも可能である。
【００９２】
以上、本技術の第２実施形態について説明した。本実施形態に係る技術を用いると、証明書を利用して、エネルギー貯蓄装置１３から供給されるエネルギーがグリーンエネルギーであるか否かを確認することができるようになる。そのため、グリーンエネルギーで動作する機器の実現や、グリーンエネルギーを利用することで機能が向上する機器の実現などが可能になる。
【００９３】
＜４：第３実施形態（消費装置が証明書を発行して貯蓄装置に格納する構成）＞
次に、本技術の第３実施形態について説明する。上記の第１及び第２実施形態は、証明書の更新について考慮されていない。例えば、証明書が証明する貯蓄量よりも少ないグリーンエネルギーを消費した場合、上記の第１及び第２実施形態に係る仕組みにおいては、証明書の破棄は行われるが、グリーンエネルギーの残量を証明する証明書が発行されない。本実施形態は、エネルギーの消費工程においてグリーンエネルギーの残量を証明する証明書を発行する仕組みに関するものである。
【００９４】
［４−１：エネルギー消費装置１４の構成例］
まず、図１６を参照しながら、本実施形態に係るエネルギー消費装置１４の構成例について説明する。図１６は、本実施形態に係るエネルギー消費装置１４の構成例を示した説明図である。
【００９５】
図１６に示すように、エネルギー消費装置１４は、主に、証明書検証部１４１と、エネルギー入力部１４２と、エネルギー消費部１４３と、エネルギー量測定部１４５と、署名検証部１４６と、証明書発行可否判定部１４７と、証明書発行部１４８とにより構成される。
【００９６】
証明書検証部１４１は、証明書を検証する構成要素である。証明書の正当性が確認されると、エネルギー入力部１４２は、エネルギー貯蓄装置１３からエネルギーを受け入れる。エネルギー入力部１４２は、エネルギー量測定部１４５に接続されている。そのため、エネルギー入力部１４２に入力されたエネルギーは、エネルギー量測定部１４５に入力される。エネルギーが入力されると、エネルギー量測定部１４５は、入力されたエネルギーの量（以下、消費量）を測定する。そして、エネルギー量測定部１４５は、消費量の情報を証明書発行可否判定部１４７に入力する。
【００９７】
また、エネルギー量測定部１４５は、エネルギー消費部１４３に接続されている。そのため、エネルギー量測定部１４５に入力されたエネルギーは、エネルギー消費部１４３に入力される。エネルギーが入力されると、エネルギー消費部１４３は、入力されたエネルギーを消費する。
【００９８】
署名検証部１４６は、電子署名を検証する構成要素である。例えば、署名検証部１４６は、エネルギー貯蓄装置１３から電子署名を取得した場合に、エネルギー貯蓄装置１３の公開鍵を用いて電子署名を検証する。後述するように、エネルギー貯蓄装置１３は、エネルギー消費装置１４に供給したエネルギーの量（以下、供給量）を測定し、供給量の情報に電子署名を付けてエネルギー消費装置１４に提供する。従って、署名検証部１４６は、提供された供給量の情報が確かにエネルギー貯蓄装置１３から提供された情報であることを検証する。
【００９９】
署名検証部１４６による検証結果は、証明書発行可否判定部１４７に入力される。このとき、署名検証部１４６は、エネルギー貯蓄装置１３が測定した供給量の情報を証明書発行可否判定部１４７に入力する。つまり、証明書発行可否判定部１４７には、消費量の情報及び供給量の情報が入力される。
【０１００】
消費量の情報及び供給量の情報が入力されると、証明書発行可否判定部１４７は、入力された情報に基づいて消費量と供給量とを比較する。消費量と供給量とが許容可能な誤差の範囲内で一致する場合、証明書発行可否判定部１４７は、証明書の発行を許可する。一方、消費量と供給量とが許容可能な誤差の範囲内で一致しない場合、証明書発行可否判定部１４７は、証明書の発行を許可しない。証明書の発行を許可する場合、証明書発行可否判定部１４７は、証明書の発行許可を証明書発行部１４８に通知する。
【０１０１】
証明書の発行許可が通知されると、証明書発行部１４８は、エネルギー貯蓄装置１３から取得した証明書が証明するグリーンエネルギーの貯蓄量から供給量を差し引き、エネルギー貯蓄装置１３に貯蓄されているグリーンエネルギーの残貯蓄量を算出する。そして、証明書発行部１４８は、エネルギー貯蓄装置１３に貯蓄されているグリーンエネルギーの残貯蓄量を証明する証明書を発行する。証明書発行部１４８が発行した証明書は、エネルギー貯蓄装置１３に提供される。なお、この証明書には、残貯蓄量の情報、及びエネルギー貯蓄装置１３を識別するための識別情報が含まれる。
【０１０２】
以上、本実施形態に係るエネルギー消費装置１４の構成例について説明した。なお、図１６に示した構成要素以外にも、エネルギー消費装置１４には、入力デバイス、出力デバイス、通信デバイスなどが搭載されていてもよい。入力デバイスは、例えば、タッチセンサやボタンなどである。また、出力デバイスは、例えば、表示装置や音声出力装置などである。通信デバイスは、例えば、無線通信インターフェースや有線通信インターフェースなどである。
【０１０３】
［４−２：エネルギー貯蓄装置１３の構成例］
次に、図１７を参照しながら、本実施形態に係るエネルギー貯蓄装置１３の構成例について説明する。図１７は、本実施形態に係るエネルギー貯蓄装置１３の構成例を示した説明図である。
【０１０４】
図１７に示すように、エネルギー貯蓄装置１３は、主に、エネルギー入力部１３１と、エネルギー量測定部１３２と、エネルギー貯蓄部１３３と、署名生成部１３４と、証明書保持部１３５と、エネルギー出力部１３６と、証明書破棄部１３７とにより構成される。
【０１０５】
エネルギー入力部１３１は、エネルギー充填装置１２からエネルギーを入力するための入力端子である。エネルギー入力部１３１は、エネルギー量測定部１３２に接続されている。そのため、エネルギー入力部１３１に入力されたエネルギーは、エネルギー量測定部１３２に入力される。エネルギーが入力されると、エネルギー量測定部１３２は、入力されたエネルギーの量（貯蓄量）を測定する。そして、エネルギー量測定部１３２は、測定した貯蓄量の情報を署名生成部１３４に入力する。
【０１０６】
また、エネルギー量測定部１３２は、エネルギー貯蓄部１３３に接続されている。そのため、エネルギー量測定部１３２に入力されたエネルギーは、エネルギー貯蓄部１３３に入力される。エネルギーが入力されると、エネルギー貯蓄部１３３は、エネルギーを貯蓄する。また、エネルギー貯蓄部１３３は、エネルギー出力部１３６に接続されている。そのため、エネルギー貯蓄部１３３は、貯蓄されたエネルギーをエネルギー出力部１３６に入力できる。なお、エネルギー出力部１３６は、エネルギー消費装置１４に向けてエネルギーを出力するための出力端子である。
【０１０７】
さて、エネルギー量測定部１３２から貯蓄量の情報が入力されると、署名生成部１３４は、入力された貯蓄量の情報に対する電子署名を生成する。例えば、署名生成部１３４は、エネルギー貯蓄装置１３の公開鍵とペアを成す秘密鍵を用いて電子署名を生成する。そして、署名生成部１３４は、生成した電子署名を貯蓄量の情報に付与してエネルギー充填装置１２に提供する。
【０１０８】
先に説明したように、電子署名を付与した貯蓄量の情報を取得したエネルギー充填装置１２は、電子署名の検証が成功すると、エネルギー貯蓄装置１３に貯蓄したエネルギーがグリーンエネルギーであることを証明する証明書を発行する。そして、エネルギー充填装置１２は、発行した証明書をエネルギー貯蓄装置１３に提供する。エネルギー貯蓄装置１３は、エネルギー充填装置１２が発行した証明書を取得すると、証明書保持部１３５に格納する。証明書保持部１３５は、格納された証明書を保持する。
【０１０９】
さて、エネルギー出力部１３６にエネルギー消費装置１４が接続されると、エネルギー貯蓄部１３３に貯蓄されたエネルギーは、エネルギー出力部１３６を介してエネルギー消費装置１４に入力される。このとき、エネルギー出力部１３６は、エネルギー貯蓄部１３３に貯蓄されたエネルギーをエネルギー消費装置１４に入力したことを証明書破棄部１３７に通知する。この通知を受けた証明書破棄部１３７は、証明書保持部１３５に格納された証明書を破棄する。なお、エネルギーの出力に応じて証明書を破棄することにより、検証プロセスを単純化することができる。
【０１１０】
また、エネルギー貯蓄部１３３からエネルギー出力部１３６にエネルギーが入力される際、エネルギー量測定部１３２は、エネルギー出力部１３６に入力されるエネルギーの量（供給量）を測定する。そして、エネルギー量測定部１３２は、供給量の情報を署名生成部１３４に入力する。エネルギー量測定部１３２から供給量の情報が入力されると、署名生成部１３４は、入力された供給量の情報に対する電子署名を生成する。例えば、署名生成部１３４は、エネルギー貯蓄装置１３の公開鍵とペアを成す秘密鍵を用いて電子署名を生成する。そして、署名生成部１３４は、生成した電子署名を供給量の情報に付与してエネルギー消費装置１４に提供する。
【０１１１】
以上、本実施形態に係るエネルギー貯蓄装置１３の構成例について説明した。なお、図１７に示した構成要素以外にも、エネルギー貯蓄装置１３には、入力デバイス、出力デバイス、通信デバイスなどが搭載されていてもよい。入力デバイスは、例えば、タッチセンサやボタンなどである。また、出力デバイスは、例えば、表示装置や音声出力装置などである。通信デバイスは、例えば、無線通信インターフェースや有線通信インターフェースなどである。
【０１１２】
［４−３：エネルギーの消費工程における装置の動作］
次に、図１８及び図１９を併せて参照しながら、エネルギーの消費工程における各装置の動作について説明する。図１８及び図１９は、エネルギーの消費工程における各装置の動作を示した説明図である。
【０１１３】
エネルギー消費装置１４とエネルギー貯蓄装置１３とが接続されると、エネルギー貯蓄装置１３からエネルギー消費装置１４に証明書が提供される。証明書が提供されると、エネルギー消費装置１４は、証明書検証部１４１の機能により、証明書の正当性を検証する（Ｓ１５１）。証明書の正当性が確認された場合、エネルギー消費装置１４は、エネルギーの受け入れを開始する（Ｓ１５２）。エネルギー消費装置１４に対するエネルギーの供給を開始すると、エネルギー貯蓄装置１３は、証明書破棄部１３７の機能により、証明書保持部１３５に格納されている証明書を破棄する（Ｓ１５３）。
【０１１４】
また、エネルギー貯蓄装置１３は、エネルギー量測定部１３２の機能により、エネルギー出力部１３６を介してエネルギー消費装置１４に供給されるエネルギーの量（供給量）を測定する（Ｓ１５４）。一方、エネルギー消費装置１４は、エネルギー量測定部１４５の機能により、エネルギー入力部１４２を介してエネルギー貯蓄装置１３から供給されたエネルギーの量（消費量）を測定する（Ｓ１５５）。次いで、エネルギー消費装置１４は、エネルギー消費部１４３の機能により、エネルギー貯蓄装置１３から供給されたエネルギーを消費する（Ｓ１５６）。
【０１１５】
また、エネルギー貯蓄装置１３は、署名生成部１３４の機能により、供給量の情報に関する電子署名を生成し（Ｓ１５７）、生成した電子署名を供給量の情報に付与してエネルギー消費装置１４に提供する。エネルギー消費装置１４は、署名検証部１４６の機能により、エネルギー貯蓄装置１３から取得した供給量の情報に関する電子署名を検証する（Ｓ１５８）。電子署名の検証が成功した場合、エネルギー消費装置１４は、証明書発行可否判定部１４７の機能により、証明書発行の可否を判定する（Ｓ１５９）。このとき、エネルギー消費装置１４は、証明書発行可否判定部１４７の機能により、供給量と消費量とが許容可能な誤差の範囲で一致する場合に証明書の発行を許可する。
【０１１６】
証明書の発行を許可した場合、エネルギー消費装置１４は、証明書発行部１４８の機能により、証明書を発行する（Ｓ１６０）。このとき、エネルギー消費装置１４は、証明書発行部１４８の機能により、貯蓄量から供給量を差し引いたグリーンエネルギーの残貯蓄量を算出し、算出した残貯蓄量を証明する証明書を発行する。この証明書は、エネルギー貯蓄装置１３に提供される。グリーンエネルギーの残貯蓄量を証明する証明書を取得すると、エネルギー貯蓄装置１３は、取得した証明書を証明書保持部１３５に格納する（Ｓ１６１）。
【０１１７】
グリーンエネルギーの残貯蓄量を証明する証明書が証明書保持部１３５に格納されると、エネルギーの消費工程における一連の処理が終了する。なお、ステップＳ１５１において証明書の検証に失敗した場合、エネルギー消費装置１４に対するエネルギーの供給は行われない。また、エネルギーの供給が行われない場合、証明書の破棄も行われない。さらに、ステップＳ１５８において電子署名の検証が失敗した場合、残貯蓄量を証明する証明書の発行は行われない。また、ステップＳ１５９において供給量と消費量とが許容可能な誤差の範囲で一致しなかった場合、残貯蓄量を証明する証明書の発行は行われない。
【０１１８】
以上、エネルギーの消費工程における各装置の動作について説明した。上記の仕組みを用いると、グリーンエネルギーの残量に応じて証明書が適切に更新される。
【０１１９】
なお、上記の説明は、グリーンエネルギーだけを利用して動作するエネルギー消費装置１４の構成例に関するものであった。ここで示した構成例のように、証明書を利用することで、供給されるエネルギーがグリーンエネルギーであるか否かに応じてエネルギーの受け入れを制御する仕組みを実現することができる。また、この仕組みを変形し、非グリーンエネルギーの受け入れを完全に拒否するのではなく、供給されるエネルギーが非グリーンエネルギーの場合にエネルギー消費装置１４の機能を制限する仕組みを実現することも可能である。
【０１２０】
以上、本技術の第３実施形態について説明した。本実施形態に係る技術を用いると、証明書を利用して、エネルギー貯蓄装置１３から供給されるエネルギーがグリーンエネルギーであるか否かを確認することができるようになる。そのため、グリーンエネルギーで動作する機器の実現や、グリーンエネルギーを利用することで機能が向上する機器の実現などが可能になる。また、グリーンエネルギーの残量管理を行うことが可能になる。
【０１２１】
＜５：第４実施形態（消費装置が証明書を発行してクラウドに格納する構成）＞
次に、本技術の第４実施形態について説明する。本実施形態は、エネルギーの貯蓄工程でエネルギー充填装置１２が発行した証明書、及びエネルギーの消費工程でエネルギー消費装置１４が発行した証明書をエネルギー貯蓄装置１３に対応付けて外部サーバ１５（例えば、クラウドシステムなど）に保持する構成に関する。
【０１２２】
［５−１：エネルギーの消費工程における装置の構成及び動作］
図２０及び図２１を併せて参照しながら、エネルギーの消費工程における各装置の動作について説明する。図２０及び図２１は、エネルギーの消費工程における各装置の動作を示した説明図である。
【０１２３】
エネルギー消費装置１４とエネルギー貯蓄装置１３とが接続されると、外部サーバ１５からエネルギー消費装置１４に証明書が提供される。証明書が提供されると、エネルギー消費装置１４は、証明書検証部１４１の機能により、証明書の正当性を検証する（Ｓ１７１）。証明書の正当性が確認された場合、エネルギー消費装置１４は、エネルギーの受け入れを開始する（Ｓ１７２）。エネルギー消費装置１４に対するエネルギーの供給を開始すると、外部サーバ１５は、証明書破棄部１５２の機能により、証明書保持部１５１に格納されている証明書を破棄する（Ｓ１７３）。
【０１２４】
また、エネルギー貯蓄装置１３は、エネルギー量測定部１３２の機能により、エネルギー出力部１３６を介してエネルギー消費装置１４に供給されるエネルギーの量（供給量）を測定する（Ｓ１７４）。一方、エネルギー消費装置１４は、エネルギー量測定部１４５の機能により、エネルギー入力部１４２を介してエネルギー貯蓄装置１３から供給されたエネルギーの量（消費量）を測定する（Ｓ１７５）。次いで、エネルギー消費装置１４は、エネルギー消費部１４３の機能により、エネルギー貯蓄装置１３から供給されたエネルギーを消費する（Ｓ１７６）。
【０１２５】
また、エネルギー貯蓄装置１３は、署名生成部１３４の機能により、供給量の情報に関する電子署名を生成し（Ｓ１７７）、生成した電子署名を供給量の情報に付与してエネルギー消費装置１４に提供する。エネルギー消費装置１４は、署名検証部１４６の機能により、エネルギー貯蓄装置１３から取得した供給量の情報に関する電子署名を検証する（Ｓ１７８）。電子署名の検証が成功した場合、エネルギー消費装置１４は、証明書発行可否判定部１４７の機能により、証明書発行の可否を判定する（Ｓ１７９）。このとき、エネルギー消費装置１４は、証明書発行可否判定部１４７の機能により、供給量と消費量とが許容可能な誤差の範囲で一致する場合に証明書の発行を許可する。
【０１２６】
証明書の発行を許可した場合、エネルギー消費装置１４は、証明書発行部１４８の機能により、証明書を発行する（Ｓ１８０）。このとき、エネルギー消費装置１４は、証明書発行部１４８の機能により、貯蓄量から供給量を差し引いたグリーンエネルギーの残貯蓄量を算出し、算出した残貯蓄量を証明する証明書を発行する。この証明書は、通信部１４４を介して外部サーバ１５に提供される。グリーンエネルギーの残貯蓄量を証明する証明書を取得すると、外部サーバ１５は、取得した証明書を証明書保持部１５１に格納する（Ｓ１８１）。
【０１２７】
グリーンエネルギーの残貯蓄量を証明する証明書が証明書保持部１５１に格納されると、エネルギーの消費工程における一連の処理が終了する。なお、ステップＳ１７１において証明書の検証に失敗した場合、エネルギー消費装置１４に対するエネルギーの供給は行われない。また、エネルギーの供給が行われない場合、証明書の破棄も行われない。さらに、ステップＳ１７８において電子署名の検証が失敗した場合、残貯蓄量を証明する証明書の発行は行われない。また、ステップＳ１７９において供給量と消費量とが許容可能な誤差の範囲で一致しなかった場合、残貯蓄量を証明する証明書の発行は行われない。
【０１２８】
以上、エネルギーの消費工程における各装置の動作について説明した。上記の仕組みを用いると、グリーンエネルギーの残量に応じて証明書が適切に更新される。
【０１２９】
なお、上記の説明は、グリーンエネルギーだけを利用して動作するエネルギー消費装置１４の構成例に関するものであった。ここで示した構成例のように、証明書を利用することで、供給されるエネルギーがグリーンエネルギーであるか否かに応じてエネルギーの受け入れを制御する仕組みを実現することができる。また、この仕組みを変形し、非グリーンエネルギーの受け入れを完全に拒否するのではなく、供給されるエネルギーが非グリーンエネルギーの場合にエネルギー消費装置１４の機能を制限する仕組みを実現することも可能である。
【０１３０】
以上、本技術の第４実施形態について説明した。本実施形態に係る技術を用いると、証明書を利用して、エネルギー貯蓄装置１３から供給されるエネルギーがグリーンエネルギーであるか否かを確認することができるようになる。そのため、グリーンエネルギーで動作する機器の実現や、グリーンエネルギーを利用することで機能が向上する機器の実現などが可能になる。また、グリーンエネルギーの残量管理を行うことが可能になる。
【０１３１】
＜６：証明書の利用例＞
次に、上記の第１〜第４実施形態に係る仕組みを利用した応用例（証明書の利用例）について考えてみたい。上記の仕組みは、エネルギーを消費する需要者がグリーンエネルギーを積極的かつ持続的に利用したいと思うようなシステム作りに生かせないだろうか。
【０１３２】
［６−１：利用例＃１（機能の制限）］
例えば、図２２に示すようなシステムが考えられる。
【０１３３】
図２２に示すように、このシステムは、エネルギー充填装置１２、エネルギー貯蓄装置１３、エネルギー消費装置１４、利用状況管理システム１６を含む。なお、利用状況管理システム１６は、エネルギー貯蓄装置１３に貯蓄されたグリーンエネルギーの利用状況を管理するシステムである。例えば、利用状況管理システム１６は、エネルギー消費装置１４により消費されたグリーンエネルギーの量を管理する。
【０１３４】
先に説明したように、エネルギー消費装置１４は、証明書を利用してエネルギー貯蓄装置１３から供給されるエネルギーがグリーンエネルギーであるか否かを判別することができる。そのため、エネルギー消費装置１４は、グリーンエネルギーを利用しているか否かに応じて利用可能な機能を制限したり、グリーンエネルギーの利用量に応じて利用可能な機能を制限したりすることができる。
【０１３５】
例えば、図２２に示すように、エネルギーの種類に依らずに利用可能な機能（機能＃１）、グリーンエネルギーの利用時に利用可能になる機能（機能＃２）を設定することができる。また、グリーンエネルギーの消費時にグリーンエネルギーの消費量とエネルギー消費装置１４とを対応付けて管理しておくことにより、グリーンエネルギーの総利用量が所定値以上の場合に利用可能な機能（機能＃３）を設定することもできる。
【０１３６】
グリーンエネルギーを利用することによってエネルギー消費装置１４で利用可能な機能が増加するように設定すると、需要者は、グリーンエネルギーを積極的に利用するようになる。また、グリーンエネルギーの使用量に応じて機能が増加するように設定すると、需要者は、グリーンエネルギーを持続的に利用するようになる。例えば、グリーンエネルギーの利用量が増加するにつれてゲームのキャラクタが成長したり、遊べるゲームの種類が増加したりすれば、需要者は、積極的かつ持続的にグリーンエネルギーを利用するようになると考えられる。
【０１３７】
また、グリーンエネルギーの利用量が増加するにつれてダウンロード可能なアプリケーションの種類が増加したり、音楽データや映像データがダウンロードできるようになったりすれば、需要者は、積極的かつ持続的にグリーンエネルギーを利用するようになると考えられる。さらに、グリーンエネルギーの総利用量に応じてポイントが付与されたり、付与されたポイントに応じて商品やサービスの価格が割引になったりすれば、需要者は、積極的かつ持続的にグリーンエネルギーを利用するようになると考えられる。
【０１３８】
［６−２：利用例＃２（ユーザへの利益供与）］
また、図２３に示すようなシステム構成（利用例＃２）も考えられる。
【０１３９】
図２３に示すように、このシステムは、エネルギー充填装置１２、エネルギー貯蓄装置１３、エネルギー消費装置１４、利用状況管理システム１６、ユーザ情報管理システム１７を含む。利用例＃１の場合、グリーンエネルギーの利用状況はエネルギー消費装置１４を単位として管理されていた。利用例＃２は、ユーザ単位でグリーンエネルギーの利用状況を管理する仕組みに関する。ユーザ単位でグリーンエネルギーの利用状況を管理することで、個々のユーザを対象にグリーンエネルギーの利用を奨励することが可能になる。
【０１４０】
例えば、ユーザ情報管理システム１７は、ユーザの個人情報と機器情報とを対応付けて管理する。ここで言う機器情報とは、エネルギー充填装置１２、エネルギー貯蓄装置１３、エネルギー消費装置１４を識別するための情報である。例えば、ユーザＡがエネルギー消費装置１４を用いてグリーンエネルギーを消費すると。エネルギー消費装置１４は、利用状況管理システム１６に対し、エネルギー消費装置１４の機器情報、エネルギー貯蓄装置１３の機器情報、及び消費量の情報を提供する。
【０１４１】
利用状況管理システム１６は、エネルギー消費装置１４から取得した機器情報をユーザ情報管理システム１７に提供し、その機器情報に対応するユーザＡの個人情報を取得する。個人情報を取得すると、利用状況管理システム１６は、取得したユーザＡの個人情報と消費量の情報とを対応付け、その消費量に応じた特典をユーザＡに提供する。例えば、利用状況管理システム１６は、ユーザＡに対してポイントを付与したり、ユーザＡが商品やサービスを購入する際に購入価格を割り引いたりできるようにする。
【０１４２】
［６−３：利用例＃３（サービスの提供）］
例えば、図２４に示すように、利用状況管理システム１６、ユーザ情報管理システム１７、及びサービス提供システム１８が連携できるようなシステム構成（利用例＃３）にすることが好ましい。利用例＃３の場合、グリーンエネルギーを消費したユーザＡに対し、サービス提供システム１８は、他のユーザの利用状況を提供したり、ユーザ間における消費量のランキング結果を提示したり、ポイントを付与するサービスを提供したりできる。ユーザ間でグリーンエネルギーの利用状況が確認できると、ユーザ間で競争意識が生じ、グリーンエネルギーを持続的に利用する動機に繋がる。
【０１４３】
また、ランキングの結果が各ユーザに提示されることで、ユーザ間の競争意識を煽ることに繋がり、グリーンエネルギーを積極的に利用しようという意識の高まりを生む。グリーンエネルギーの消費量に応じてポイントが付与されることで、ユーザに実質的な利益が還元されるため、コスト意識の高いユーザが積極的かつ持続的にグリーンエネルギーを消費するものと期待される。このように、グリーンエネルギーの利用状況を見えるようにすることや、グリーンエネルギーの需要者に特典を与えることにより、非グリーンエネルギーからグリーンエネルギーへの代替が進むと期待される。
【０１４４】
利用例＃３のような仕組みを実現するためのインフラとしてソーシャルネットワークを利用することは効果的であると考えられる。利用状況を見たユーザやランキングの結果を見たユーザがソーシャルネットワークを利用して発言したり、その発言に応答する発言などが連鎖的に繰り返されることにより、グリーンエネルギーの消費に対するユーザのモチベーションが維持されるものと考えられる。
【０１４５】
こうした仕組みは、エネルギー消費装置１４において確かにグリーンエネルギーが消費されたことを証明する仕組みがあってこと成り立つものである。つまり、上記の第１〜第４実施形態の技術を応用することにより、上記の利用例＃１〜＃３のようなシステム構成を実現することが可能になるのである。
【０１４６】
＜７：補遺＞
これまで、エネルギー充填装置１２からエネルギー貯蓄装置１３へとグリーンエネルギーを充填する際に証明書を発行し、そのグリーンエネルギーを消費する際に証明書を用いてグリーンエネルギーであることを確認する仕組みについて説明してきた。一方で、系統電力に由来するエネルギーをエネルギー貯蓄装置１３に貯蓄する仕組みについては詳細な説明を省略していた。太陽光発電設備などのグリーンエネルギー発生装置１１は、天候などの環境に応じてエネルギーの出力量が変化してしまう。そのため、系統電力に由来するエネルギーをエネルギー貯蓄装置１３に貯蓄できるような仕組みを設けておく方が好ましい。
【０１４７】
例えば、エネルギー充填装置１２にスイッチを設け、系統電力に由来するエネルギーをエネルギー貯蓄装置１３に充填する第１モードと、グリーンエネルギーをエネルギー貯蓄装置１３に充填する第２モードとを切り替えられるようにしておく仕組みが考えられる。第１モードの場合、証明書の発行は行われないが常にエネルギーを充填することができる。一方、第２モードの場合、証明書の発行が行われる。また、エネルギー充填装置１２は、自身に入力されるエネルギーがグリーンエネルギーであることを確認するためにＨＥＭＳと通信を行えるように構成されていることが好ましい。
【０１４８】
ＨＥＭＳと通信を行えると、グリーンエネルギー発生装置１１で発生したグリーンエネルギーの量や、家庭内の機器で消費したエネルギーの量などの情報を取得することが可能になる。例えば、ＨＥＭＳから情報を取得できると、グリーンエネルギー発生装置１１で発生したエネルギー量が家庭内の機器で消費するエネルギーの量を上回る場合に自動的にエネルギー貯蓄装置１３へエネルギーが充填される仕組みを実現することができる。
【０１４９】
ところで、上記の第１〜第４実施形態の仕組みは電子署名などの技術に基づく証明書を利用しているが、グリーンエネルギーであることを証明する方法はこれに限定されない。例えば、エネルギー貯蓄装置１３が電池である場合、電池の端子に、グリーンエネルギーが貯蓄されていることを証明するシールを貼るという方法も考えられる。また、そのシールに印字されたＱＲコードをエネルギー消費装置１４で読み込むことにより、利用可能な機能が追加されたり、サービス特典が受けられたりするような仕組みも考えられる。
【０１５０】
（装置の具体例）
グリーンエネルギー発生装置１１は、例えば、太陽光発電設備、風力発電設備、地熱発電設備、太陽熱発電設備、潮汐発電設備、バイオマス発電設備などである。エネルギー貯蓄装置１３は、蓄電池、コンデンサ、蓄電システムなどである。蓄電池としては、例えば、リチウムイオン電池、ニッケル水素電池、鉛蓄電池、ＮＡＳ電池などがある。また、コンデンサとしては、例えば、電界コンデンサ、セラミックコンデンサ、電気二重層コンデンサなどがある。
【０１５１】
また、蓄電システムとしては、例えば、揚力発電システムや、水の電気分解を利用した蓄電システムなどがある。揚力発電システムとは、電気エネルギーを位置エネルギーに変換して蓄える蓄電システムである。揚力発電システムの代表例である水力発電システムは、電力を利用して高いところへと水をくみ上げておき、その水の落下エネルギーを利用して水力発電を行う。一方、水の電気分解を利用した蓄電システムは、水の電気分解で発生した水素を貯蔵しておき、貯蔵しておいた水素を燃焼して発電したり、貯蔵しておいた水素を燃料にして燃料電池により発電したりする。
【０１５２】
エネルギー消費装置１４は、例えば、情報処理装置、通信装置、撮像装置、テレビジョン受像機、録画再生装置、ゲーム機、音楽プレーヤ、空調設備、電気コンロ、電気給湯器、その他の家電製品など、家庭内外で利用する様々な機器である。
【０１５３】
＜８：まとめ＞
本実施形態に係る技術は、下記（１）〜（４）のように表現されるエネルギー充填装置、下記（５）のように表現されるエネルギー貯蓄装置、下記（６）〜（１３）のように表現されるエネルギー消費装置、及び下記（１４）〜（１６）のように表現されるグリーンエネルギーの管理方法に関する。例えば、下記（１）に示したエネルギー充填装置は、エネルギー貯蓄装置に充填されるグリーンエネルギーの量を証明書により証明することができる。また、この証明書は、エネルギー貯蓄装置からグリーンエネルギーが出力された場合に破棄される。そのため、この証明書により、エネルギー貯蓄装置に貯蓄されているグリーンエネルギーが確かにグリーンエネルギーであることを証明することが可能になる。
【０１５４】
（１）
エネルギー貯蓄装置にグリーンエネルギーを充填するエネルギー充填部と、
前記エネルギー貯蓄装置により測定されたグリーンエネルギーの充填量を示す測定量情報を当該エネルギー貯蓄装置から取得する測定量情報取得部と、
前記エネルギー充填部により充填されたグリーンエネルギーの充填量と、前記測定量情報に示されたグリーンエネルギーの充填量とが一致した場合に、前記エネルギー貯蓄装置に充填されたグリーンエネルギーの量を証明するための証明書を発行する証明書発行部と、
を備え、
前記証明書は、前記エネルギー貯蓄装置と対応付けて管理され、当該証明書により証明される量のグリーンエネルギーが前記エネルギー貯蓄装置から出力された場合に破棄される、
エネルギー充填装置。
【０１５５】
（２）
証明書を管理する管理システムに対し、前記証明書発行部により生成された証明書を提供する証明書提供部をさらに備え、
前記管理システムは、前記証明書と前記エネルギー貯蓄装置とを対応付けて管理し、当該証明書により証明される量のグリーンエネルギーが前記エネルギー貯蓄装置から出力された場合に当該証明書を破棄する、
上記（１）に記載のエネルギー充填装置。
【０１５６】
（３）
前記証明書発行部により生成された証明書を前記エネルギー貯蓄装置に提供する証明書提供部をさらに備え、
前記エネルギー貯蓄装置は、前記証明書提供部により提供された証明書を保持し、当該証明書により証明される量のグリーンエネルギーを出力した場合に当該証明書を破棄する、
上記（１）に記載のエネルギー充填装置。
【０１５７】
（４）
前記測定量情報取得部は、前記測定量情報と共に電子署名を取得し、当該電子署名を用いて前記測定量情報の正当性を確認し、
前記証明書発行部は、前記測定量情報の正当性が確認され、かつ、前記エネルギー充填部により充填されたグリーンエネルギーの充填量と、前記測定量情報に示されたグリーンエネルギーの充填量とが一致した場合に、前記エネルギー貯蓄装置に充填されたグリーンエネルギーの量を証明するための証明書を発行する、
上記（２）又は（３）に記載のエネルギー充填装置。
【０１５８】
（５）
エネルギーを入力するためのエネルギー入力部と、
エネルギーを出力するためのエネルギー出力部と、
エネルギーを貯蓄するエネルギー貯蓄部と、
前記エネルギー入力部を介して入力されたグリーンエネルギーの量を測定し、当該グリーンエネルギーの量を示す測定量情報を生成する測定量情報生成部と、
前記グリーンエネルギーを入力したエネルギー充填装置に前記測定量情報を提供し、入力されたグリーンエネルギーの量を証明するための証明書の発行を要求する証明書要求部と、
前記エネルギー充填装置から前記証明書を取得する証明書取得部と、
前記証明書を保持する証明書保持部と、
前記証明書により証明される量のグリーンエネルギーを出力した場合に当該証明書を破棄する証明書破棄部と、
を備える、
エネルギー貯蓄装置。
【０１５９】
（６）
エネルギー貯蓄装置からグリーンエネルギーの供給を受けた場合に、当該エネルギー貯蓄装置から供給を受けたグリーンエネルギーの量を測定する測定部と、
前記エネルギー貯蓄装置に対応付けて管理され、当該エネルギー貯蓄装置に貯蓄されたグリーンエネルギーの量を証明するための証明書を取得する証明書取得部と、
前記エネルギー貯蓄装置から供給を受けたグリーンエネルギーの量Ｘが前記証明書により証明されるグリーンエネルギーの量Ｙよりも少ない場合に、両者の差分（Ｙ−Ｘ）に対応するグリーンエネルギーの量を証明するための証明書を発行する証明書発行部と、
を備え、
前記証明書取得部により取得された証明書は破棄され、前記証明書発行部により発行された証明書は前記エネルギー貯蓄装置に対応付けて管理される、
エネルギー消費装置。
【０１６０】
（７）
前記証明書取得部は、証明書を管理する管理システムから前記証明書を取得し、
前記エネルギー消費装置は、前記証明書発行部により発行された証明書を前記管理システムに提供する証明書提供部をさらに備える、
上記（６）に記載のエネルギー消費装置。
【０１６１】
（８）
前記証明書取得部は、前記エネルギー貯蓄装置から前記証明書を取得し、
前記エネルギー消費装置は、前記証明書発行部により発行された証明書を前記エネルギー貯蓄装置に提供する証明書提供部をさらに備える、
上記（６）に記載のエネルギー消費装置。
【０１６２】
（９）
グリーンエネルギーの供給を受けて動作している場合に利用可能な第１の機能と、エネルギーの種類に依らずに利用可能な第２の機能とを提供する機能提供部をさらに備える、
上記（７）又は（８）に記載のエネルギー消費装置。
【０１６３】
（１０）
グリーンエネルギーの消費量に応じて付加的なサービスを提供するサービス提供システムに対し、前記エネルギー貯蓄装置から供給を受けたグリーンエネルギーの量を通知するグリーンエネルギー量通知部をさらに備え、
前記グリーンエネルギー量通知部は、自装置を識別するための装置情報と、前記グリーンエネルギーの量とを対応付けて前記サービス提供システムに通知する、
上記（７）又は（８）に記載のエネルギー消費装置。
【０１６４】
（１１）
前記サービス提供システムは、ユーザと前記装置情報とを対応付けたユーザ情報を取得し、前記グリーンエネルギー量通知部により通知された装置情報に対応するユーザに対し、前記付加的なサービスを提供する、
上記（１０）に記載のエネルギー消費装置。
【０１６５】
（１２）
前記サービス提供システムから各ユーザに関するグリーンエネルギーの利用状況を取得し、取得したグリーンエネルギーの利用状況を示す情報を表示する状況表示部をさらに備える、
上記（１１）に記載のエネルギー消費装置。
【０１６６】
（１３）
前記サービス提供システムは、利用したグリーンエネルギーの量が多い順にユーザをランキングし、
前記状況表示部は、前記グリーンエネルギーの利用状況を示す情報として前記ランキングの結果を表示する、
上記（１２）に記載のエネルギー消費装置。
【０１６７】
（１４）
エネルギー充填装置が、
エネルギー貯蓄装置にグリーンエネルギーを充填するステップと、
前記エネルギー貯蓄装置により測定されたグリーンエネルギーの充填量を示す測定量情報を当該エネルギー貯蓄装置から取得するステップと、
前記エネルギー貯蓄装置に充填したグリーンエネルギーの充填量と、前記測定量情報に示されたグリーンエネルギーの充填量とが一致した場合に、前記エネルギー貯蓄装置に充填したグリーンエネルギーの量を証明するための証明書を発行するステップと、
を含み、
前記証明書は、前記エネルギー貯蓄装置と対応付けて管理され、当該証明書により証明される量のグリーンエネルギーが前記エネルギー貯蓄装置から出力された場合に破棄される、
グリーンエネルギーの管理方法。
【０１６８】
（１５）
エネルギー貯蓄装置が、
入力されたグリーンエネルギーの量を測定し、当該グリーンエネルギーの量を示す測定量情報を生成するステップと、
前記グリーンエネルギーを入力したエネルギー充填装置に前記測定量情報を提供し、入力されたグリーンエネルギーの量を証明するための証明書の発行を要求するステップと、
前記エネルギー充填装置から前記証明書を取得するステップと、
前記証明書を保持するステップと、
前記証明書により証明される量のグリーンエネルギーを出力した場合に当該証明書を破棄するステップと、
を含む、
グリーンエネルギーの管理方法。
【０１６９】
（１６）
エネルギー消費装置が、
エネルギー貯蓄装置からグリーンエネルギーの供給を受けた場合に、当該エネルギー貯蓄装置から供給を受けたグリーンエネルギーの量を測定するステップと、
前記エネルギー貯蓄装置に対応付けて管理され、当該エネルギー貯蓄装置に貯蓄されたグリーンエネルギーの量を証明するための証明書を取得するステップと、
前記エネルギー貯蓄装置から供給を受けたグリーンエネルギーの量Ｘが前記証明書により証明されるグリーンエネルギーの量Ｙよりも少ない場合に、両者の差分（Ｙ−Ｘ）に対応するグリーンエネルギーの量を証明するための証明書を発行するステップと、
を含み、
取得された証明書は破棄され、発行された証明書は前記エネルギー貯蓄装置に対応付けて管理される、
グリーンエネルギーの管理方法。
【０１７０】
（備考）
上記のエネルギー出力部１２３は、エネルギー充填部の一例である。上記のエネルギー量測定部１２２、１３２は、測定量情報取得部の一例である。上記の証明書発行可否判定部１２５、証明書発行部１２６は、証明書発行部の一例である。上記の証明書発行部１２６、通信部１２７は、証明書提供部の一例である。上記の署名生成部１３４は、証明書要求部の一例である。上記の証明書保持部１３５は、証明書取得部の一例である。上記のエネルギー量測定部１４５は、測定部の一例である。上記の証明書検証部１４１は、証明書取得部の一例である。上記の証明書発行部１４８、通信部１４４は、証明書提供部の一例である。上記のエネルギー消費部１４３は、機能提供部の一例である。上記の通信デバイスは、グリーンエネルギー量通知部の一例である。上記の表示デバイスは、状況表示部の一例である。
【０１７１】
以上、添付図面を参照しながら本技術に係る好適な実施形態について説明したが、本技術はここで開示した構成例に限定されないことは言うまでもない。当業者であれば、特許請求の範囲に記載された範疇内において、各種の変更例又は修正例に想到し得ることは明らかであり、それらについても当然に本技術の技術的範囲に属するものと了解される。
【符号の説明】
【０１７２】
１１      グリーンエネルギー発生装置
１２      エネルギー充填装置
１２１    エネルギー入力部
１２２    エネルギー量測定部
１２３    エネルギー出力部
１２４    署名検証部
１２５    証明書発行可否判定部
１２６    証明書発行部
１２７    通信部
１３      エネルギー貯蓄装置
１３１    エネルギー入力部
１３２    エネルギー量測定部
１３３    エネルギー貯蓄部
１３４    署名生成部
１３５    証明書保持部
１３６    エネルギー出力部
１３７    証明書破棄部
１４      エネルギー消費装置
１４１    証明書検証部
１４２    エネルギー入力部
１４３    エネルギー消費部
１４４    通信部
１４５    エネルギー量測定部
１４６    署名検証部
１４７    証明書発行可否判定部
１４８    証明書発行部
１５      外部サーバ
１５１    証明書保持部
１５２    証明書破棄部
１６      利用状況管理システム
１７      ユーザ情報管理システム
１８      サービス提供システム
【図１】
0005732973.tif 000002
【図２】
0005732973.tif 000003
【図３】
0005732973.tif 000004
【図４】
0005732973.tif 000005
【図５】
0005732973.tif 000006
【図６】
0005732973.tif 000007
【図７】
0005732973.tif 000008
【図８】
0005732973.tif 000009
【図９】
0005732973.tif 000010
【図１０】
0005732973.tif 000011
【図１１】
0005732973.tif 000012
【図１２】
0005732973.tif 000013
【図１３】
0005732973.tif 000014
【図１４】
0005732973.tif 000015
【図１５】
0005732973.tif 000016
【図１６】
0005732973.tif 000017
【図１７】
0005732973.tif 000018
【図１８】
0005732973.tif 000019
【図１９】
0005732973.tif 000020
【図２０】
0005732973.tif 000021
【図２１】
0005732973.tif 000022
【図２２】
0005732973.tif 000023
【図２３】
0005732973.tif 000024
【図２４】
0005732973.tif 000025